(57)【要約】      （修正有）【課題】刈り取られた背高の刈り草が回転体と本体部ケーシングとの隙間に入り込まないようにすると共に、側面視したときに前記隙間を露出させないことにより、刈払機への巻き付きを有効に防ぐことができる刈払機を提供する。【解決手段】取付部３ｃ位置よりも内径位置から上方に立ち上がった立ち上がり部３ｄが形成され、該立ち上がり部３ｄは、上下方向略中間位置の内面に装着部３ｂが内鍔状に形成されているため、回転体３ｂと本体部ケーシング４ａとのあいだに形成される隙間Ｓは、前記装着部３ｂよりも背高の円筒壁状になった突出部３ｆによって周囲が覆われた状態になっていて、側面視したときに隙間が露出しない刈払機とした。【選択図】図６
2008022788.tif 000002
【特許請求の範囲】
【請求項１】
刈払機の回転軸部に装着される装着部を有し外周部位に刈刃が設けられた回転体を備えた刈払機において、
前記回転体には、刈刃位置よりも内径位置から筒状に立ち上がった立ち上がり部が形成され、
該立ち上がり部の上下方向中間位置内方に前記装着部が形成されている
ことを特徴とする刈払機。
【請求項２】
請求項１において、立ち上がり部の上端部位は、装着部が形成される部位よりも小径な小径部が形成されていることを特徴とする刈払機。
【請求項３】
請求項２において、小径部は、上側ほど小径になっていることを特徴とする刈払機。
【請求項４】
請求項１乃至３の何れか一つにおいて、立ち上がり部の外周面には、回転体の回転により起風するための凹部および／または凸部が形成されていることを特徴とする刈払機。
【請求項５】
請求項１乃至４の何れか一つにおいて、立ち上がり部の上端には、回転体の回転により起風するための凹部および／または凸部が形成されていることを特徴とする刈払機。
【請求項６】
請求項１乃至５の何れか一つにおいて、回転軸部を支持する刈払機本体部には、立ち上がり部の上端開口を覆蓋するためのキャップが設けられていることを特徴とする刈払機。
【発明の詳細な説明】
【技術分野】
【０００１】
本発明は、刈払機の本体部に装着され刈刃が取り付けられた刈払機の回転体に関し、刈り払った芝生や雑草等の刈草が刈払機の回転軸に巻き付くことを防止した刈払機の技術分野に属するものである。
【背景技術】
【０００２】
この種刈払機は、刈刃が取り付けられる回転体を回転軸部に取り付けて構成されるが、該回転軸部は、ベアリングを介して刈払機本体部のケーシングに回転自在に支持された構成になっていて、本体部ケーシングに対して回転することになる。ところで刈払機は、回転体の回転を円滑にするため、回転体と本体部ケーシングとのあいだに隙間を設ける必要があるが、この隙間に、刈り払った刈草が入り込んで巻き付きやすいという問題があり、このため巻き付きを防止することが提唱されている。
【０００３】
このような巻き付きを防止するものとして、回転体を肉厚にし、回転体と本体部ケーシングとのあいだの隙間を上方に位置させることで刈草が前記隙間に近づき難いようにしたものがあるものがある（例えば、特許文献１の第１図参照。）。また、回転体の上面に、本体部ケーシングとのあいだにラビリンスを形成すべく円筒部を起立状に形成して前記隙間に刈り草が入り込むことを防止するようにしたものがある（例えば、特許文献２参照。）。
【特許文献１】特開昭６３−３２４２０号公報
【特許文献２】特開平７−２３６３３１号公報
【発明の開示】
【発明が解決しようとする課題】
【０００４】
しかし、特許文献１のものは、草丈が長い刈草を刈り取るような場合、該刈り取られた背高の刈り草が隙間に入り込んでしまうといった問題が依然としてある。
また特許文献２のものは、円筒部の上端と本体部ケーシングとのあいだに形成される隙間が露出しているため、該露出する隙間から刈草が入り込むことになって、刈払機への巻き付きを有効に防いでいるとはいい難いといった問題が有る。
【課題を解決するための手段】
【０００５】
本発明は、上記の如き実情に鑑みこれらの課題を解決することを目的として創作されたものであって、請求項１の発明は、刈払機の回転軸部に装着される装着部を有し外周部位に刈刃が設けられた回転体を備えた刈払機において、前記回転体には、刈刃位置よりも内径位置から筒状に立ち上がった立ち上がり部が形成され、該立ち上がり部の上下方向中間位置内方に前記装着部が形成されていることを特徴とする刈払機である。
請求項２の発明は、請求項１において、立ち上がり部の上端部位は、装着部が形成される部位よりも小径な小径部が形成されていることを特徴とする刈払機である。
請求項３の発明は、請求項２において、小径部は、上側ほど小径になっていることを特徴とする刈払機である。
請求項４の発明は、請求項１乃至３の何れか一つにおいて、立ち上がり部の外周面には、回転体の回転により起風するための凹部および／または凸部が形成されていることを特徴とする刈払機である。
請求項５の発明は、請求項１乃至４の何れか一つにおいて、立ち上がり部の上端には、回転体の回転により起風するための凹部および／または凸部が形成されていることを特徴とする刈払機である。
請求項６の発明は、請求項１乃至５の何れか一つにおいて、回転軸部を支持する刈払機本体部には、立ち上がり部の上端開口を覆蓋するためのキャップが設けられていることを特徴とする刈払機である。
【発明の効果】
【０００６】
請求項１の発明とすることにより、本体部ケーシングと装着部との隙間は、装着部よりも背高の円筒壁状になった立ち上がり部によって周囲が覆われた状態になっており、側面視したときに隙間が露出しないようになっているため、刈り取られた刈草は、立ち上がり部に阻まれて前記隙間に近づき難いものとなって隙間への刈草の侵入を防止することができる。
請求項２の発明とすることにより、刈り草の侵入口になる立ち上がり部の上端部を小径にすることができるので、刈草の侵入を防止することができる。
請求項３の発明とすることにより、小径部の外周面に乗った刈草を下方（刈刃取り付け方向）に落ちるように促すことで、刈刃の侵入を防止することができる。
請求項４または５の発明とすることにより、前記起風は、刈刃に、立ち上がり部から遠ざける圧力を与えることができる。
請求項６の発明とすることにより、キャップは、刈刃の侵入口になる立ち上がり部の上端を覆蓋することができるので、刈刃の侵入防止を確実にすることができる。
【発明を実施するための最良の形態】
【０００７】
次に、本発明の実施の形態について、図面に基づいて説明する。図面において、１は、芝生や雑草等の刈草を刈り払うための刈払機であって、該刈払機１は、刈刃２が取り付けられた回転体３が、刈払機本体部４に回動自在に装着された構成になっている。
【０００８】
刈払機本体部４は、草刈をする者が持って操作する部分となる持ち手部（図示せず）を基端に備えたパイプ状のフレームＦと、該フレームＦの先端部分に一体的に設けられる本体ケーシング４ａと、該ケーシング４ａに回転自在に軸支される回転軸部４ｂとを備えて構成され、該回転軸部４ｂに回転体３がボルト５の締結によって固定支持されている。そして持ち手部側に設けた操作具（図示せず）の操作によって回転軸部４ｂの回転制御をすることで回転体３が一体に回転し、該回転体４に設けた刈刃によって雑草や芝等の刈草の刈り取りができるようになっていること等は何れも従来どおりであるので省略する。因みに、後述する本実施の形態では回転体３に刈刃２を取り付けるものについて説明するが、回転体に刈刃２が一体に形成されたものであっても本発明を実施できることは言うまでもない。
【０００９】
前記回転体３は、ポリアミド等のプラスチック（繊維等の強化材を混入して強化したものを用いることもできる）、ステンレス等の金属から形成されるが、本実施の形態の回転体３はポリアミド系の繊維強化プラスチックからなっている。また回転体３は、刈払機本体部４に備えられる回転軸部４ｂが貫通するため中心部に貫通孔３ａを有する円形状の装着部３ｂと、外周部に刈刃２を取り付けるための取付部３ｃとを備えて構成されているが、さらに該取付部３ｃよりも内径位置から円筒状に立ち上がった立ち上がり部３ｄが形成されている。そうして回転体３は、立ち上がり部３ｄの上下方向略中間位置（本実施の形態では上下方向中央位置よりも少し上位置）の内面に前記装着部３ｂが内鍔状に形成されると共に、立ち上がり部３ｄの下端部から外径方向にフランジ状に続く状態の先端部３ｅの外周部に前記取付部３ｃが形成されている。
【００１０】
刈刃２は、基端が取付部３ｃに遊嵌状に取り付けられており、水平方向の回動ができるようになっているが、取付部３ｃには、刈刃２の取り付け位置から回転方向と逆方に向かって適宜面取りがしてあるため、刈刃２は、遠心力で振り出された状態で刈草を刈り、刈っている途中で障害物に接触した場合に回転方向と逆方に回動して破損を防止することができるようになっている。尚、図６の６ａは刈刃２を取付部３ｃに取り付けるためのボルトであって、６ｂはボルト６ａを固定するためのナットである。
【００１１】
そして前記回転体３は、貫通孔３ａに回転軸部４ｂを嵌入した状態で、装着部３ｂの下側から止め具７を当てがい、回転軸部４ｂから下方に向けて突出した螺子軸４ｃにボルトを緊締することで回転軸部４ｂ側に一体的に取付けられるようになっているが、この取り付け状態で、回転体３は本体部ケーシング４ａとのあいだに隙間Ｓが設けられていて回転体３の円滑な回転が保障されるようになっているが、前記立ち上がり部３ｄの装着部３ｂよりも上方に突出する突出部３ｆは本体部ケーシング４ａの中間位置（本実施の形態では本体部ケーシング４ａの１／４を越える高さ）まで至る高いものになっていて前記隙間Ｓの外周縁を背高な壁状に覆い、これによって刈り草が隙間Ｓに入り込むのを防止するようになっている。
【００１２】
因みに、装着部４ｂと立ち上がり部３ｄとのあいだには、該回転体３の強度を補うため上下の補強部３ｇがリブ状に形成されている。
【００１３】
叙述の如く構成された本発明の実施の形態において、回転体３は、取付部３ｃ位置よりも内径位置から上方に立ち上がった立ち上がり部３ｄが形成され、該立ち上がり部３ｄは、上下方向略中間位置の内面に装着部３ｂが内鍔状に形成されているため、回転体３と本体部ケーシング４ａとのあいだに形成される隙間Ｓは、前記装着部３ｂよりも背高の円筒壁状になった突出部３ｆによって周囲が覆われた状態になっていて、側面視したときに隙間Ｓが露出しない構成になっているから、刈り取られた刈草は、突出部ｆに阻まれて隙間Ｓに近づき難いものとなって隙間Ｓに刈り草が浸入することを防止することができる。
【００１４】
尚、本発明は前記実施の形態に限定されるものでないことは勿論であり、立ち上がり部３ｄの形状を適宜変更することによって装着部３ｂと本体部ケーシング４ａとのあいだの隙間Ｓへの刈草の入り込むみ防止機能をさらに高くなるように配慮することができ、このような配慮は、以下に示す実施の形態のようにして実施することができる。これらものにおいて、前記第一の実施の形態と同様のものについては同じ引出し符号を付してその詳細な説明を省略する。
【００１５】
図８（Ａ）（Ｂ）に示す第二、第三の実施の形態は、立ち上がり部３ｄの上端部位を小径状にした小径部を形成して立ち上がり部の上端開口を小さくしたものであるが、小径部３ｈとしては前者に示す円板状にしたもの、後者に示す上側ほど小径となるようにしたもの（図面では半球状になっているが、截頭円錐形であっても良い）したものでも実施することができる。そしてこのようにすることで、立ち上がり部３ｄの上端開口の面積が小さくなって該開口からの刈り草の侵入をより効果的に低減することができる。
【００１６】
また図９〜図１４に示される第四の実施の形態のものは、立ち上がり部３ｄの外周面に凹部３ｉと、上端面に凸部３ｊをそれぞれ形成したものであるが、凹部３ｉは、回転体３が回転した場合に外径方向に向けて起風機能が発揮でき、この起風された風によって近寄ってくる刈り草を外径方向に飛ばすことができて刈り草の侵入を低減できる。さらに凹部３ｉ、凸部３ｊは、刈り草が直接当たった場合に、該当たった刈り草を吹き飛ばす機能があり、仮草の侵入低減にさらに寄与することになる。
【００１７】
また、図１５に示す第五の実施の形態のものは、立ち上がり部３ｄの上端開口を覆蓋するためのキャップ８をフレームＦに装着したものであり、このようにすることで立ち上がり部３ｄ内に刈り草が侵入してしまうことを効果的に回避することができる。
【図面の簡単な説明】
【００１８】
【図１】（Ａ）、（Ｂ）はそれぞれ第一の実施の形態の回転体の正面図、背面図である。
【図２】（Ａ）、（Ｂ）はそれぞれ第一の実施の形態の回転体の左側面図、右側面図である。
【図３】（Ａ）、（Ｂ）はそれぞれ第一の実施の形態の回転体の平面図、底面図である。
【図４】図３（Ａ）のＡ−Ｏ−Ａ断面図である。
【図５】（Ａ）、（Ｂ）はそれぞれ第一の実施の形態の回転体の平面側の斜視図、底面側の斜視図である。
【図６】第一の実施の形態の回転体の使用状態を、回転体を断面した状態で示した参考図である。
【図７】第一の実施の形態の使用状態を示す草刈機の斜視図である。
【図８】（Ａ）、（Ｂ）はそれぞれ第二の実施の形態、第三の実施の形態の回転体の斜視図である。
【図９】（Ａ）、（Ｂ）はそれぞれ第四の実施の形態の回転体の正面図、背面図である。
【図１０】（Ａ）、（Ｂ）はそれぞれ第四の実施の形態の回転体の左側面図、右側面図である。
【図１１】（Ａ）、（Ｂ）はそれぞれ第四の実施の形態の回転体の平面図、底面図である。
【図１２】図１１（Ａ）のＡ−Ｏ−Ａ断面図である。
【図１３】（Ａ）、（Ｂ）はそれぞれ第四の実施の形態の回転体の平面側の斜視図、底面側の斜視図である。
【図１４】第四の実施の形態の回転体の使用状態を、回転体を断面した状態で示した参考図である。
【図１５】第五の実施の形態の使用状態を示す草刈機の斜視図である。
【符号の説明】
【００１９】
１        刈払機
２        刈刃
３        回転体
３ａ      貫通孔
３ｂ      装着部
３ｃ      取付部
３ｄ      立ち上がり部
３ｅ      先端部
３ｆ      突出部
３ｇ      補強部
３ｈ      小径部
３ｉ      凹部
３ｊ      凸部
４        刈払機本体部
４ａ      本体ケーシング
４ｂ      回転軸部
Ｓ        隙間
Ｆ        フレーム
【図１】
2008022788.tif 000003
【図２】
2008022788.tif 000004
【図３】
2008022788.tif 000005
【図４】
2008022788.tif 000006
【図５】
2008022788.tif 000007
【図６】
2008022788.tif 000008
【図７】
2008022788.tif 000009
【図８】
2008022788.tif 000010
【図９】
2008022788.tif 000011
【図１０】
2008022788.tif 000012
【図１１】
2008022788.tif 000013
【図１２】
2008022788.tif 000014
【図１３】
2008022788.tif 000015
【図１４】
2008022788.tif 000016
【図１５】
2008022788.tif 000017